(57)【要約】【課題】  光治療器を使用して、間引き脱毛やシミ、あざ、入れ墨等の着色細胞組織をその部分だけ除去できるようにすると共に、患部にだけ光治療器が照射できる穴が容易に作成できる光治療器用白色テープを提供する。【解決手段】  レーザー光又はパルス化された高輝度白色光などを皮膚表面に照射して、脱毛やシミ、あざ、入れ墨などの皮膚の着色細胞組織を除去する光治療器２０に使用されるものであって、皮膚表面に剥離可能に貼着できると共に、皮膚の患部の大きさ、形状及び数に応じた穴３４が穿設されている白色テープ３０。【選択図】        図４
2005319210.tif 000002
【特許請求の範囲】
【請求項１】
レーザー光又はパルス化された高輝度白色光などを皮膚表面に照射して、シミ、あざ、入れ墨などの皮膚の着色細胞組織を除去する光治療器に使用されるものであって、皮膚表面に剥離可能に貼着できると共に、皮膚の患部の大きさ、形状及び数に合致させた穴あけができるようにしたことを特徴とする光治療器用白色テープ。
【請求項２】
レーザー光又はパルス化された高輝度白色光などを皮膚表面に照射して、脱毛する光治療器に使用されるものであって、皮膚表面に剥離可能に貼着できると共に、多数の小孔又は長孔が穿設されていることを特徴とする光治療器用白色テープ。
【発明の詳細な説明】
【技術分野】
【０００１】
本発明は、レーザー光、白色光などを皮膚表面に照射して、脱毛又はシミ、あざ、入れ墨などを除去する光治療器に使用される光治療器用白色テープに関する。
【背景技術】
【０００２】
従来の上記光治療器は、シミ、あざ、入れ墨等の皮膚の着色細胞組織を除去したい場合、シミ、あざ等の患部周辺の皮膚面も照射して肌にダメージを与える恐れがあった。
また、従来の上記光治療器は、皮膚の多毛部分を無毛部分にすることはできたが、多毛部分からいきなり無毛部分にするのではなく、多毛部分から少毛部分にしたい場合、そのような脱毛は困難な欠点があった。  そこで、本発明者は、皮膚表面に剥離可能に貼着する白色テープに患者の患部に該当する部分だけを穴をあけて、患部に貼着し、上記穴以外の皮膚面を照射されないようにした光治療器用白色テープを開発することに成功した。
【特許文献１】特表２００２−５０００８０号公報
【発明の開示】
【発明が解決しようとする課題】
【０００３】
本発明は、光治療器を使用して、間引き脱毛やシミ、あざ、入れ墨等の着色細胞組織をその部分だけ除去できるようにした光治療器用白色テープを提供することにある。
また、本発明は、安価で、患部にだけ光治療器が照射できる穴の作成が容易にできる光治療器用白色テープを提供することにある。
【課題を解決するための手段】
【０００４】
本発明光治療器用白色テープは、上記課題を達成するため、図示するように、レーザー光又はパルス化された高輝度白色光などを皮膚表面に照射して、シミ、あざ、入れ墨などの皮膚の着色細胞組織を除去する光治療器に使用されるものであって、皮膚表面に剥離可能に貼着できると共に、皮膚の患部の大きさ、形状及び数に合致させた穴あけができるようにしたものである。
また、本発明光治療器用白色テープは、上記課題を達成するため、図示するように、レーザー光又はパルス化された高輝度白色光などを皮膚表面に照射して、脱毛する光治療器に使用されるものであって、皮膚表面に剥離可能に貼着できると共に、多数の小孔又は長孔が穿設されているものである。
本発明において、光治療器用白色テープは、皮膚表面に貼着されるもので、表面は、光治療器の照射光を反射できる白色の軟質合成樹脂製フィルム、軟質ゴム製フィルム等の軟質白色テープが好ましく、裏面には、皮膚面に、無害な粘着剤が塗布されるものが好ましい。
また、裏面に粘着面を形成しなくても、表面に絆創膏テープを貼って皮膚面に貼着できるものでもよい。
【発明の効果】
【０００５】
本発明によれば、従来のように、患部以外又は患部周辺の皮膚面を照射して肌にダメージを与える恐れは全くなく、患者の患部に合致した穴の大きさ、形状及び数に合わせて穴あけして、間引き脱毛や微細なシミなどの着色細胞組織を容易かつ正確に除去できることになった。
【発明を実施するための最良の形態】
【０００６】
本発明は、製作簡単で穴あけ容易な軟質の白色粘着テープを特徴としている。
【実施例１】
【０００７】
本発明の実施例１は、図１に示されるように、裏面３２は医療用粘着剤を塗布した粘着面（図示しない）を有して、剥離テープ３３に仮接着し、表面３１は不透明白色に着色し、光治療器の照射光を反射できるようにした軟質の薄合成樹脂フィルム製テープ３０である。
本発明の実施例に使用された光治療器の一例は、本体１０とハンドピース２０とを備えている。
本体１０は、図２に示すように、電源プラグ差込口（図示しない）、安全スイッチ１１、スタートキー１２、タッチスクリーン１３、プリンター１４、インターロック（図示しない）を備え、ハンドピース２０に給電すると共に、冷却水が循環できるように連結している。
ハンドピース２０は、図３に示すように、フラッシュランプ２１、波長遮断フィルター２２、ライトガイド２３を内蔵すると共に、内部に冷却水が循環できるように冷却水循環回路２４を備え、フラッシュランプ２１はフィルター２２及びライトガイド２３を通してフラッシュプラズマ光線を毛根に照射し、毛根にダメージを与えてその着色細胞組織を破壊する作用を行う。
波長遮断フィルター２２は、皮膚の光治療や、脱毛に適する波長帯を選択的に取り出せるように複数個が用意され、皮膚に有害な５１５ｎｍ以下の短波長光や熱作用の強い２００ｎｍ以上の赤外光を遮断できるようになっている。
従って、今、図４に示すように、シミ５０を除去したい場合、そのシミ５０の大きさ、形状を透明フィルム（図示しない）に写し取って、本発明白色テープ３０の表面３１に転写したのち、その形状に沿って切り取り、露出穴３４を作成して、患者の患部５０に貼着し、図５に示すように、アイスパックで施術部分を冷やし、また、冷却した公知のジエル又はゲル組成物４０を２〜３ミリ厚に塗って、その上から施術部分の穴３４に光照射を数回に分けて施術すれば、施術部分は皮膚着色が漸次薄くなっていく。
【実施例２】
【０００８】
本発明の別の実施例が、図６乃至図８に示されている。
本発明実施例に使用される光治療器は、実施例１と同じであるので詳細説明は省略する。
本発明実施例の光治療器用白色テープ３０Ｂ又は３０Ｃは、主として、間引き脱毛に使用されるもので、皮膚表面に剥離可能に貼着できると共に、多数の小孔３４Ｂ又は長孔３４Ｃが穿設され、表面３１Ｂ又は３１Ｃは不透明白色に着色されて光治療器の照射光を反射できるようにし、裏面（図示しない）は医療用粘着剤を塗布した粘着面を有して、剥離テープ（図示しない）に仮接着されるものである。
従って、本発明品３０Ｂ又は３０Ｃを多毛領域の皮膚面に貼れば、穴３４Ｂ又は３４Ｃ部分のみ脱毛されて少毛領域とすることができる。
さらに、本発明の光治療器用白色テープは、図８に示すように、テープ３０Ｄの裏面に粘着面（図示しない）を形成させる必要はなく、患部の皮膚面（図示しない）とテープ３０Ｄの表面３１Ｄに貼着できる、裏面に粘着面を有する別の医療用テープ６０で皮膚面に貼着してもよい。
【産業上の利用可能性】
【０００９】
本発明の光治療器用白色テープは、安価に量産できる。
【図面の簡単な説明】
【００１０】
【図１】本発明の実施例を示す一部を切り欠いて拡大した説明図である。
【図２】本発明に使用した光治療器の本体の一例を示す説明図である。
【図３】本発明に使用した光治療器のハンドピースの一例を示す説明図である。
【図４】本発明の使用状態の説明図である。
【図５】本発明の別の使用状態の説明図である。
【図６】本発明の別の実施例を示す平面図である。
【図７】本発明の別の実施例を示す平面図である。
【図８】本発明のさらに別の実施例を示す平面図である。
【符号の説明】
【００１１】
１０    光治療器
２０    光治療器
３０、３０Ｂ、３０Ｃ、３０Ｄ    光治療器用白色テープ
３４、３４Ｂ、３４Ｃ、３４Ｄ    光治療器用白色テープの穴
【図１】
2005319210.tif 000003
【図２】
2005319210.tif 000004
【図３】
2005319210.tif 000005
【図４】
2005319210.tif 000006
【図５】
2005319210.tif 000007
【図６】
2005319210.tif 000008
【図７】
2005319210.tif 000009
【図８】
2005319210.tif 000010